(57)【要約】【課題】  2011年7月以降に、地上アナログＴＶ放送（ＶＨＦ）が終了し、全面的に地上デジタル放送（ＵＨＦ）に切替わると、それまで使用されていたアナログ放送受信用のＴＶ、チューナー、録画機器等が使用できなくなり、全国で大量に廃棄処分されるおそれがある。  【解決手段】  地上アナログＴＶ放送の終了により生ずる空周波数帯域を有効利用して、乳幼児、要介護者、来訪者等を家庭内の離れた場所で監視できるようにするため、映像機器からの出力信号をアナログ変調器で空周波数帯域のアナログ又はデジタル信号に変調して、家屋内の既設分配器のいずれかの一つの分配端子に入力し、その映像信号を分配器の他の分配端子に反射させて、分配端子に接続したアナログ又はデジタルＴＶ受像機で受像できるようにした。【選択図】      図１
2008042540.tif 000002
【特許請求の範囲】
【請求項１】
映像機器からの映像信号を、地上デジタル放送への切替により不使用となる空周波数帯域の信号に変調して、ＴＶ放送受信者側の既設分配器のいずれかの一つの分配端子に入力し、その映像信号を前記分配器の他の分配端子に反射させて、分配端子に接続した前記空周波数帯域の信号を受信可能なＴＶ受像機で受信できるようにしたことを特徴とする映像信号送受信方法。
【請求項２】
映像機器と、映像機器からの映像信号を地上デジタル放送への切替により不使用となる空周波数帯域の信号に変調する変調器と、ＴＶ放送受信者側に設置されている既設分配器と、前記空周波数帯域の映像を受信可能なＴＶ受像機を備え、前記変調器は前記分配器のいずれか一つの分配端子に接続され、前記ＴＶ受像機は他の分配端子に接続され、分配器の入力端子には地上デジタル放送用ＵＨＦ帯の信号は通過するが前記空周波数帯域の信号は反射させる反射器を挿入して、変調器から分配端子に入力された空周波数帯域の信号が分配端子に反射されてその分配端子に接続されたＴＶ受像機器で受信されるようにしたことを特徴とする映像信号送受信システム。
【発明の詳細な説明】
【技術分野】
【０００１】
本発明は2011年7月以降のアナログ放送終了後に不使用となるＶＨＦ帯域（それまでアナログ放送に使用されてきた周波数帯域）を有効利用する映像信号送受信方法と映像信号送受信システムに関し、家屋内の既設のＴＶ信号受信配線や分配器などを有効利用して、乳幼児、要介護老人、外部からの訪問者などを屋内の他の場所に居ながらにして映像で視聴し監視（モニタ）できるようにしたものである。
【背景技術】
【０００２】
キッチン、店頭などで仕事をしながら、他の室内に居る幼児や要介護老人の状況を監視するには、従来は、監視専用の撮影用カメラとモニタＴＶを用意し、それらの間に新たにケーブルを配線するか、無線送受信機器を用意したりする必要があった。また、室内で外部からの訪問者を画像で確認するには、画像モニタ機能の付いたインターホンを設置しなければならなかった。
【発明の開示】
【発明が解決しようとする課題】
【０００３】
前記従来方法では、新たにケーブル配線したり、新たに無線機器を用意したりしなければならないため手間と費用が掛かる。また、場合によっては家屋の壁にケーブル配線用の孔開け工事をしなければならず、施工主によっては孔開けに抵抗があり、工事をしにくいという課題があった。
【課題を解決するための手段】
【０００４】
2011年7月以降は、地上アナログＴＶ放送が終了し、全面的に地上デジタル放送に切替わる予定となっている。これに伴って、それまで使用されていたアナログ放送用の周波数帯域（ＶＨＦ：90〜222MHz）が使用されずに不使用帯域となる。本発明はこの不使用帯域と、スーパーハイバンド（222MHz〜468MHz）（以下両者をあわせて「空周波数帯域」という。）を利用し、また、それまで使用されてきたアナログ放送用のＴＶ受像機を利用して、家屋内で乳幼児、要介護老人、来訪者等を家庭内の離れた場所で監視（モニタ）できるようにしたものである。また、デジタルＴＶ受像機を用意することにより、それによってもモニタできるようにした。
【０００５】
本発明の映像信号送受信方法は、請求項１記載のように、映像機器からの映像信号を、地上デジタル放送への切替により不使用となる空周波数帯域の信号に変調して、ＴＶ放送受信者側の既設分配器のいずれかの一つの分配端子に入力し、その映像信号を前記分配器の他の分配端子に反射させて、分配端子に接続した前記空周波数帯域の信号を受信可能なＴＶ受像機で受信できるようにした。
【０００６】
本発明の映像信号送受信システムは、請求項２記載のように、映像機器と、映像機器からの映像信号を地上デジタル放送への切替により不使用となる空周波数帯域の信号に変調する変調器と、ＴＶ放送受信者側に設置されている既設分配器と、前記空周波数帯域の映像を受信可能なＴＶ受像機を備え、前記変調器は前記分配器のいずれか一つの分配端子に接続され、前記ＴＶ受像機は他の分配端子に接続され、分配器の入力端子には地上デジタル放送用ＵＨＦ帯の信号は通過するが前記空周波数帯域の信号は反射させる反射器を挿入して、変調器から分配端子に入力された空周波数帯域の信号が分配端子に反射されてその分配端子に接続されたＴＶ受像機器で受信されるようにした。
【発明の効果】
【０００７】
本発明の映像信号送受信方法及びシステムは次のような効果がある。
（１）アナログ放送用に使用されてきた空周波数帯域を利用するので、新たな映像機器を導入したり、家屋内にケーブルを新たに配線したりしなくとも、家屋内の既設分配器の入力側に反射器を、いずれか一つの分配端子にアナログ或いはデジタル変調器を、他の分配端子にアナログ或いはデジタルＴＶ受像機を接続するだけで、映像機器とＴＶ間で映像信号を送受信することができる。このため、新たに大掛かりな設備導入をしなくとも乳幼児や要介護老人を家屋内の離れた場所で監視することができる。このため、自営業者は店頭で仕事をしながら、主婦はダイニングやリビングに居ながら乳幼児や要介護老人などの監視を行うことができる。
（２）地上デジタル放送へ切替わると、まだ使用可能なアナログ用のＴＶ受像機、チューナー、ビデオ機器などが不要となり、それらが全国で廃棄処分される恐れがあるが、本発明ではそれら機器を廃棄することなく有効利用でき、廃棄や投棄による地球環境への悪影響も大幅に削減できる。また、空周波数帯域を有効利用することもできる。
（３）宅内の分配器の分配端子間で、空周波数帯域を利用した双方向通信が可能となるため、各種情報交換に利用可能となる。
【発明を実施するための最良の形態】
【０００８】
（実施形態１）
本発明の映像信号送受信方法及びシステムの一実施形態を図１〜図３に示す。図３はＣＡＴＶシステムを導入している既設設備であり、屋外のタップオフ１から保安器２を通してＣＡＴＶ加入者宅内に分配器３が設置され、分配器３の入力端子４に送られてくる信号を分配器３の分配端子ａ〜ｄに接続されたアナログＴＶ受像機で受像できるようにしてある。入力端子４には現用周波数帯域のデジタルのＴＶ放送信号並びにＣＡＴＶ局の自主放送号信号が送られてくる。このデジタル放送はデジタル受像機で同時に受像できる。
【０００９】
図１は既設ＣＡＴＶシステムを利用した本発明の映像信号送受信システムの一例であり、分配器３の入力端子４に反射器５を挿入し、いずれか一つの分配端子ａ〜ｄに変調器６を介して映像機器７を接続してある。
【００１０】
前記映像機器７には動画撮影用のビデオカメラ、静止画像撮影用のデジタルカメラといった被写体（乳幼児や要介護者など）を撮影可能なもの、或いは、ビデオデッキなどの録画再生機器などを使用することができる。映像機器７はデジタル式のものでもアナログ式のものでも使用可能である。
【００１１】
前記変調器６には映像機器７からの出力信号（映像信号のみ又は映像信号及び音声信号）を、前記空周波数帯域の信号に変調可能なものが使用される。変調器６もデジタル式のものでもアナログ式のものでも使用可能である。
【００１２】
前記反射器５には2011年7月以降に全面的に採用される地上デジタル放送の信号帯域（ＵＨＦ：470〜770MHz）は通過させ、空周波数帯域（90〜468MHz）は分配端子に反射（全反射）させることのできるものを使用することができ、例えば、ハイパスフィルタ（ＨＰＦ）を使用することができる。
【００１３】
通常、分配器３は入力端子４側を全帯域でインピーダンス75オームに保っておくことにより、分配端子ａ〜ｄ間の廻り込みが発生しないようにしてあるが、本発明において分配器３の入力端子４に前記透過特性のＨＰＦを使用したところ、ＨＰＦを入れる前のＶＨＦ帯域の端子間結合損失（ａ−ｂ、ａ−ｃ、・・・ｃ−ｄ）が25dB以上だったものが、分配損失分（４分配で約14dB程度）となり、ケーブルロス（5D-2V相当で100dB/km：20ｍ×2本で約4dB）を含めても十分に使用できる範囲であることが出願人により確認できた。また、前記周波数特性のＨＰＦフィルタであれば、それを入れてもＣＡＴＶのセンター側への悪影響はない。
【００１４】
本発明の映像信号送受信方法を利用すれば次のような視聴が可能となる。図１の映像機器（例えば、ビデオカメラ）で撮影した映像信号が変調器６で空周波数帯域のアナログ信号に変調されて家屋内の既設分配器３のいずれか一つの分配端子に入力され、この信号がＨＰＦで反射されて分配端子ａ〜ｄに廻り込み、それら分配端子のいずれか一以上に接続されているアナログ用ＴＶ受像機で受像される。そのＴＶを家屋内のダイニング、リビング、店頭などに設置しておき、映像機器を乳幼児や要介護老人などの居る場所に設置しておけば、映像機器で撮影される乳幼児や要介護老人などの状況をダイニング、リビング、店頭などに居ながらにして監視することができる。ＴＶを二以上の分配端子に接続すれば家屋内の異なる数ヶ所で視聴することもできる。また、反射器５にＵＨＦを通過させるＨＰＦを使用するので、図１のように分配端子にデジタルＴＶを接続して地上デジタル放送を同時に受信することも可能である。
【００１５】
本発明は、ＣＡＴＶ加入者宅のみならず、通常の個別ＴＶ受信者宅の分配器や配線を利用して実用化することができる。
【産業上の利用可能性】
【００１６】
前記実施形態は一つの家屋の室内間での映像信号送受信であるが、本発明では映像機器をインターホンのカメラとし、そのカメラからの出力信号をアナログ或いはデジタル変調器で変調して分配器のいずれかの分配端子に接続すれば、他の分配端子に接続されたアナログ或いはデジタルＴＶで屋外の来訪者をモニタするインターホンとしての使用もできる。
【００１７】
本発明の映像信号送受信方法やシステムは分配器が設置され、ケーブルが配線されている家屋内であれば、例えば不審者や動物の不正侵入の防犯監視、発芽中・育成中の植物の監視、養生中・醸造中の加工食品の定時点検監視など、各種分野での利用が可能になる。
【図面の簡単な説明】
【００１８】
【図１】本発明の映像信号送受信システムの一例を示す説明図。
【図２】本発明の映像信号送受信システムの分配器部分の説明図。
【図３】従来の映像信号送受信システムの分配器部分の説明図。
【符号の説明】
【００１９】
１  タップオフ
２  保安器
３  分配器
４  入力端子
５  反射器
６  変調器
７  映像機器
ａ〜ｄ  分配端子
【図１】
2008042540.tif 000003
【図２】
2008042540.tif 000004
【図３】
2008042540.tif 000005